【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
無線通信装置が存在する位置における無線通信の通信品質を取得する取得部と、
前記取得された通信品質に基づいて、前記無線通信装置が備えるデータ通信機能のうち、優先度が高く設定されているデータ通信機能以外の他のデータ通信機能のオンオフを制御する制御部と
を具備する情報処理装置。
【請求項２】
前記優先度が高く設定されているデータ通信機能は、優先度が高く設定されている音声通話サービスに係るデータ通信機能、または、音声通話機能であり、
前記制御部は、前記取得された通信品質が閾値を基準として悪い場合には、前記優先度が高く設定されているデータ通信機能をオンにした状態で前記他のデータ通信機能をオフする制御を行う
請求項１記載の情報処理装置。
【請求項３】
前記制御部は、前記取得された通信品質が閾値を基準として良い場合には前記他のデータ通信機能をオンし、前記取得された通信品質が閾値を基準として悪い場合には前記他のデータ通信機能をオフする制御を行う請求項１または２記載の情報処理装置。
【請求項４】
前記制御部は、前記取得された通信品質が閾値を基準として悪い場合であっても音声通話機能を用いた通話が行われているときには前記他のデータ通信機能をオンする制御を行う請求項３記載の情報処理装置。
【請求項５】
前記制御部は、前記無線通信装置が備える表示部と、前記取得された通信品質とに基づいて、前記他のデータ通信機能のオンオフを制御する請求項１乃至４の何れかに記載の情報処理装置。
【請求項６】
前記制御部は、前記取得された通信品質が閾値を基準として良い場合であっても前記表示部が表示状態でないときには前記他のデータ通信機能をオフし、前記取得された通信品質が閾値を基準として悪い場合であっても前記表示部が表示状態であるときには前記他のデータ通信機能をオンする制御を行う請求項５記載の情報処理装置。
【請求項７】
前記無線通信装置の移動に関する移動情報を取得する移動情報取得部をさらに具備し、
前記制御部は、前記取得された移動情報と前記取得された通信品質とに基づいて前記他のデータ通信機能のオンオフを制御する
請求項１乃至６の何れかに記載の情報処理装置。
【請求項８】
前記制御部は、前記取得された通信品質が閾値を基準として良い場合、または、前記取得された通信品質が閾値を基準として悪い場合であって前記取得された移動情報が所定条件を満たす場合には、前記他のデータ通信機能をオンし、一方、前記取得された通信品質が閾値を基準として悪い場合であって前記取得された移動情報が所定条件を満たさない場合には、前記他のデータ通信機能をオフする制御を行う請求項７記載の情報処理装置。
【請求項９】
前記無線通信装置が備えるデータ通信機能は、パケット通信に係るデータ通信機能、および、ＳＭＳ通信に係るデータ通信機能を含み、
前記優先度が高く設定されているデータ通信機能は、前記ＳＭＳ通信に係るデータ通信機能である
請求項１乃至８の何れかに記載の情報処理装置。
【請求項１０】
前記無線通信装置が備えるデータ通信機能は、複数のプロトコルに係るデータ通信機能を含み、
前記他のデータ通信機能は、特定のプロトコルに係るデータ通信機能である
請求項１乃至９の何れかに記載の情報処理装置。
【請求項１１】
前記特定のプロトコルには、当該特定のプロトコルに係るデータ通信機能をオフするための閾値が関連付けられ、
前記制御部は、前記取得された通信品質が前記特定のプロトコルに関連付けられている閾値を基準として良い場合には前記他のデータ通信機能をオンし、前記取得された通信品質が前記特定のプロトコルに関連付けられている閾値を基準として悪い場合には前記他のデータ通信機能をオフする制御を行う
請求項１０記載の情報処理装置。
【請求項１２】
データ通信を行うアプリケーションの起動を検出するアプリケーション起動検出部をさらに具備し、
前記制御部は、前記アプリケーションの起動が検出されたタイミングにおいて、前記他のデータ通信機能がオフされている旨をユーザに通知させる
請求項１乃至１１の何れかに記載の情報処理装置。
【請求項１３】
前記データ通信を行うアプリケーションには、当該アプリケーションに係るデータ通信を自動で実行するか否かを示す情報が関連付けられ、
前記制御部は、前記データ通信を行うアプリケーションの起動が検出された場合において、前記取得された通信品質が閾値を基準として良い場合、または、前記取得された通信品質が閾値を基準として悪い場合であって当該データ通信を自動で実行する旨の情報が当該アプリケーションに関連付けられている場合には、前記他のデータ通信機能をオンし、一方、前記取得された通信品質が閾値を基準として悪い場合であって当該データ通信を自動で実行しない旨の情報が当該アプリケーションに関連付けられている場合には、前記他のデータ通信機能をオフする制御を行う
請求項１２記載の情報処理装置。
【請求項１４】
前記データ通信機能を用いたデータ通信が行われた場合における通信量を統計情報として記憶する記憶部をさらに具備し、
前記制御部は、前記統計情報と、前記取得された通信品質とに基づいて、前記他のデータ通信機能のオンオフを制御する
請求項１乃至１３の何れかに記載の情報処理装置。
【請求項１５】
前記制御部は、前記データ通信の実行が指示された場合において、前記取得された通信品質が閾値を基準として良い場合、または、前記取得された通信品質が閾値を基準として悪い場合であって当該データ通信に係る前記統計情報が所定条件を満たす場合には、前記他のデータ通信機能をオンし、また、前記取得された通信品質が閾値を基準として悪い場合であって当該データ通信に係る前記統計情報が所定条件を満たさない場合には、前記他のデータ通信機能をオフする制御を行う請求項１４記載の情報処理装置。
【請求項１６】
前記無線通信装置が備えるデータ通信機能に係るデータ通信のプロトコル階層は、少なくともＣｏｎｔｒｏｌ  ｐｌａｎｅおよびＵｓｅｒ  ｐｌａｎｅからなり、
前記他のデータ通信機能は、前記Ｃｏｎｔｒｏｌ  ｐｌａｎｅ以外のプロトコル階層のデータ通信に係るデータ通信機能であり、
前記制御部は、前記Ｃｏｎｔｒｏｌ  ｐｌａｎｅを介して受信した制御データと、前記取得された通信品質とに基づいて、前記Ｃｏｎｔｒｏｌ  ｐｌａｎｅ以外のプロトコル階層のデータ通信のオンオフを制御する
請求項１記載の情報処理装置。
【請求項１７】
前記制御部は、前記他のデータ通信機能がオフされた場合には、その旨をユーザに通知させる請求項１乃至１６の何れかに記載の情報処理装置。
【請求項１８】
少なくともＣｏｎｔｒｏｌ  ｐｌａｎｅおよびＵｓｅｒ  ｐｌａｎｅからなるプロトコル階層のデータ通信のうち、前記Ｕｓｅｒ  ｐｌａｎｅを用いたデータ通信が必要である旨の制御信号を前記Ｃｏｎｔｒｏｌ  ｐｌａｎｅを介して無線通信装置に送信する情報処理装置と、
前記無線通信装置が存在する位置における無線通信の通信品質を取得する取得部と、前記Ｃｏｎｔｒｏｌ  ｐｌａｎｅを介して受信した制御データと、前記取得された通信品質とに基づいて、前記Ｃｏｎｔｒｏｌ  ｐｌａｎｅ以外のプロトコル階層のデータ通信のオンオフを制御する制御部とを備える無線通信装置と
を具備する通信システム。
【請求項１９】
無線通信装置が存在する位置における無線通信の通信品質を取得する取得手順と、
前記取得された通信品質に基づいて、前記無線通信装置が備えるデータ通信機能のうち、優先度が高く設定されているデータ通信機能以外の他のデータ通信機能のオンオフを制御する制御手順と
を具備する情報処理方法。
【請求項２０】
無線通信装置が存在する位置における無線通信の通信品質を取得する取得手順と、
前記取得された通信品質に基づいて、前記無線通信装置が備えるデータ通信機能のうち、優先度が高く設定されているデータ通信機能以外の他のデータ通信機能のオンオフを制御する制御手順と
をコンピュータに実行させるプログラム。